(57)【要約】【課題】プランターに植栽した植物がフレームの外面にせり出すのを抑制し、観賞性を高めることができるプランター用の枠状棚を提供することにある。【解決手段】有底容器状であってその内部に植物が収容されるプランター１９を収納する上下フレーム２、３と、その上下フレーム２、３の端を連結する左右フレーム４、５とによって窓枠状のフレーム６を形成し、フレーム６で囲まれた内部を窓部７としてプランター１９に植栽された植物２２を観賞するプランター用の枠状棚１であり、上フレーム２と上フレーム２に収納されるプランター１９との間に窓部７に連絡する隙間２４を形成し、上フレーム２に収納されるプランター１９に植栽した植物２２が隙間２４から窓部７に導かれる。【選択図】図１
2014171450.tif 000002
【特許請求の範囲】
【請求項１】
有底容器状であってその内部に植物が収容されるプランターを収納する上下フレームと、その上下フレームの端を連結する左右フレームとによって窓枠状のフレームを形成し、
そのフレームで囲まれた内部を窓部として前記プランターに植栽された前記植物を観賞するプランター用の枠状棚であって、
前記上フレームと、その上フレームに収納される前記プランターとの間には前記窓部に連絡する隙間を形成し、前記上フレームに収納される前記プランターに植栽した植物は、前記隙間から前記窓部に導かれることを特徴とするプランター用の枠状棚。
【請求項２】
前記プランターはその開口周縁から側方へ突出するフランジを有し、
前記上フレームは互いに対向して左右方向に延びるフレーム壁と前記フレーム壁を接続する一対の接続部を有し、
前記接続部により仕切られた空間に前記プランターを配置し、前記フランジを前記接続部に着座させて前記プランターを吊り下げる請求項１に記載のプランター用の枠状棚。
【請求項３】
前記プランターは前記上フレームに着脱自在に収納される請求項２に記載のプランター用の枠状棚。
【請求項４】
前記上下フレームは前記窓部側に開口を有し、
前記開口の内縁には凹部が形成されて、その凹部には光を照射する照明部が設けられる請求項１ないし３のいずれか１項に記載のプランター用の枠状棚。
【請求項５】
前記下フレームは、前記開口を有する有底容器状の脚部であり、
前記脚部は前記脚部の下端近傍からその内面に沿って前記脚部の底外縁まで延びる補強部材を有する請求項４に記載のプランター用の枠状棚。
【請求項６】
前記脚部の底外面から前記脚部の底外縁と前記補強部材を貫通して水平を保つアジャスターボルトを有する請求項５に記載のプランター用の枠状棚。
【請求項７】
前記左右フレームは互いに対向して上下方向に延びる上下フレーム壁と対向する前記上下フレーム壁を接続して前記窓部の内壁となる内壁面を有し、
前記左右フレームに収納されるプランターに対応して前記内壁面に前記窓部に連絡する連絡開口を形成し、前記左右フレームに収納されるプランターに植栽した植物は、前記連絡開口から前記窓部に導かれる請求項１ないし６のいずれか１項に記載のプランター用の枠状棚。
【発明の詳細な説明】
【技術分野】
【０００１】
本発明は、プランター用の枠状棚に関する。
【背景技術】
【０００２】
左右の縦フレームの間に植木鉢等を収納する複数の横フレームを設けて、はしご状に形成した枠状棚が特許文献１で開示されている。
【先行技術文献】
【特許文献】
【０００３】
【特許文献１】特開２００７−２９５８６１号公報
【発明の概要】
【発明が解決しようとする課題】
【０００４】
しかし、かかる棚は箱状の横フレームに鉢（プランター）を収納するため、例えば上から垂れ下がる蔓植物などを展示すると、植物がフレームの外面をつたい枠状の棚からはみ出すように広がり、植物が雑然と展示される印象を与え、観賞性が乏しくなる。
【０００５】
本発明の課題は、プランターに植栽した植物がフレームの外面にせり出すのを抑制し、観賞性を高めることができるプランター用の枠状棚を提供することにある。
【課題を解決するための手段および発明の効果】
【０００６】
本発明のプランター用の枠状棚は、
有底容器状であってその内部に植物が収容されるプランターを収納する上下フレームと、その上下フレームの端を連結する左右フレームとによって窓枠状のフレームを形成し、
そのフレームで囲まれた内部を窓部としてプランターに植栽された植物を観賞するプランター用の枠状棚であって、
上フレームと、その上フレームに収納されるプランターとの間には窓部に連絡する隙間を形成し、上フレームに収納されるプランターに植栽した植物は、隙間から窓部に導かれることを特徴とする。
【０００７】
本発明によれば、上フレームとその上フレームに収納されるプランターの間に隙間を形成し、その隙間を利用してプランターに植栽された植物を窓部に導くため、上フレームのプランターに植栽された植物がフレームの外面にせり出すのを抑制し、観賞性を高めることができる。
【図面の簡単な説明】
【０００８】
【図１】本発明の枠状棚の一例を示す斜視図。
【図２】図１の正面図。
【図３】図１の右側面図。
【図４】図１の底面図。
【図５】図１の平面図及びその部分拡大図。
【図６】図２のＶＩ−ＶＩ断面図及びその部分拡大図。
【図７】図２のＶＩＩ−ＶＩＩ断面図。
【図８】図２のＶＩＩＩ−ＶＩＩＩ断面図及びその部分拡大図。
【図９Ａ】図１の枠状棚に収納される上側プランターの一例を示す斜視図。
【図９Ｂ】図９Ａに植物を植栽した斜視図。
【図１０Ａ】図１の枠状棚に収納される下側プランターの一例を示す斜視図。
【図１０Ｂ】図１０Ａに植物を植栽した斜視図。
【図１１Ａ】図１の枠状棚に図９Ｂ及び図１０Ｂのプランターを収納する一例を示す説明図。
【図１１Ｂ】図１１Ａに続きプランターを収納する一例を示す説明図。
【図１２】図２の枠状棚に図９Ｂ及び図１０Ｂのプランターが収納された状態を示す正面図。
【図１３】図５の枠状棚に図９Ｂ及び図１０Ｂのプランターが収納された状態を示す部分拡大図。
【図１４】図６の枠状棚に図９Ｂの上側プランターが収納された状態を示す部分拡大図。
【図１５】図２の枠状棚に図９Ｂ及び図１０Ｂのプランターが収納された状態を示す正面図。
【図１６】図１の枠状棚に図９Ｂ及び図１０Ｂのプランターが収納された状態を示す斜視図。
【図１７】枠状棚の変形例を示す斜視図。
【図１８】図１７の平面図及びその部分拡大図。
【図１９】図２のＶＩ−ＶＩ断面図に対応する図１７の断面図。
【図２０】図１７の枠状棚にプランターが収納された状態を示す正面図。
【図２１】図１８の枠状棚にプランターが収納された状態を示す部分拡大図。
【図２２Ａ】図１９の枠状棚にプランターを収納する説明図。
【図２２Ｂ】図１９の枠状棚にプランターが収納された状態を示す部分拡大図。
【図２３】図１７の枠状棚にプランターが収納された状態を示す正面図。
【図２４】図１７の枠状棚にプランターが収納された状態を示す斜視図。
【発明を実施するための形態】
【０００９】
図１〜図８（例えば、図１）により、プランター用の枠状棚１を説明する。背面図及び左側面図は、それぞれ正面図、右側面図と対称にあらわれるため省略してある。枠状棚１は、例えば、縦１．５〜２ｍ、横１．５〜２ｍ、奥行き０．４〜０．６ｍの間仕切りとしても利用可能な大きさに形成されている。枠状棚１は、上下フレーム（上フレーム２及び下フレーム３）と左右フレーム（左フレーム４及び右フレーム５）を有する窓枠状のフレーム６である。上下フレーム２、３の左端が左フレーム４と、右端が右フレーム５と連結され、フレーム６で囲まれた内部が窓部７となる。
【００１０】
上フレーム２は、互いに対向して左右方向に延びるフレーム壁８とフレーム壁８を接続する一対の接続部９を有し、図１では複数組（３組）の接続部９が左右方向に隣接して形成される。
【００１１】
フレーム壁８は、図１に示すように矩形状で外面が面一状の本体部８ａを有する。図６に示すように本体部８ａの上端縁に沿って鍔部８ｂ、本体部８ａの下端縁に沿って凹部８ｃ（図６で上に凸となる凹部８ｃ）を備える。鍔部８ｂは、フレーム壁８の上端縁を一端として上端縁から対向するフレーム壁８に向かい水平方向に延びる延出部８ｂ１と延出部８ｂ１の他端から小寸法下垂する下垂部８ｂ２を有する。凹部８ｃは対向するフレーム壁８の内側に備わり、図６に示すように、水平方向に対してフレーム壁８の下端縁を軸として鋭角に傾斜して配置され、凹部８ｃには光を照射する照明部８ｃ１が収容される。鍔部８ｂと凹部８ｃは本体部８ａとともに一体的に曲げ形成される板状部材である。
【００１２】
図１及び図６に示すように対向するフレーム壁８を接続する接続部９は、断面が角形又はＣ形で上面が平坦に形成される水平部材９ａであり、その端面がフレーム壁８と接続し、上面の一部が下垂部８ｂ２と接続する。水平部材９ａの真下にも同様の水平部材９ａが設けられ、上下の水平部材９ａと連なるようにフレーム壁８の内面に沿って左右に垂直部材９ｂが設けられ、対向するフレーム壁８の間に窓枠状に各部材９ａ、９ｂが配置される。
【００１３】
一方、下フレーム３は、図１及び図６に示すように窓部７側に開口１０を有する有底容器状の脚部１１であり、脚部１１は、互いに対向して左右方向に延びるフレーム壁１２と底壁１３を有する。フレーム壁１２は、矩形状で外面が面一状の本体部１２ａを有し、本体部１２ａの上端縁に沿って凹部１２ｂ（図６で下に凸となる凹部１２ｂ）を備える。図６に示すように、凹部１２ｂは対向するフレーム壁１２の内側に備わり、水平方向に対してフレーム壁１２の上端縁を軸として鋭角（図示反時計回りを基準として鋭角）に傾斜して配置され、凹部１２ｂには光を照射する照明部１２ｂ１が収容される。凹部１２ｂは本体部１２ａと一体的に形成にされる板状部材である。
【００１４】
図２〜４及び図６に示すように、脚部１１には、脚部１１の下端近傍からその内面に沿って脚部１１の底壁１３の外縁まで延びる補強部材１４が設けられ、脚部１１の底壁１３の外面側から脚部１１の底壁１３の外縁と補強部材１４を貫通してアジャスターボルト１５で水平を保たれる。なお、図１、図１１Ａ、図１１Ｂ、図１２、図１５及び図１６では補強部材１４とアジャスターボルト１５は省略してある。
【００１５】
図１、図３及び図５に示すように、上下フレーム２、３と連結する左右フレーム４、５は、それぞれ互いに対向して上下方向に延びるフレーム壁１６（上下フレーム壁）と、対向するフレーム壁１６を接続して枠状棚１の外面となる外壁面１７と、対向するフレーム壁１６を接続して窓部７の内壁となる内壁面１８を備える。内壁面１８は、図１及び図５に示すように上下方向に沿って凹部１８ａ（図５で右に凸となる凹部１８ａ）を備え、凹部１８ａには光を照射する照明部（図示省略）を収容してもよい。
【００１６】
図１に示すように、上下フレーム２、３のフレーム壁８、１２と左右フレーム４、５のフレーム壁１６の外面は面一状に連なり、図７及び図８示すように、上下フレーム２、３の窓部７側に上フレーム２及び下フレーム３の開口が形成されて、その開口の内縁に凹部８ｃ、１２ｂが形成される。また、左右フレーム４、５の内壁面１８が窓部７の内壁となる。
【００１７】
図９Ａ及び図１０Ａに示すように枠状棚１に収納されるプランター１９は、上部に開口２０を有する有底容器状をなし、その開口２０周縁から側方又は内側に突出するフランジ２１（側方に突出するフランジ２１ａ（図９Ａ）、内側に突出するフランジ２１ｂ（図１０Ａ））を有する。プランター１９の内部には、図９Ｂ及び図１０Ｂに示すように植物２２とその保持又は育成のための被収容媒体２３が収容される。図９Ａ及び図９Ｂに示すように上フレーム２に配置される上側プランター１９ａの内部には、培土とともに例えば枝や幹などを上から下に垂れ下げることができる蔓植物２２ａや地面を這うように茎を伸ばして広がる這性植物２２ｂなどが植栽される。本実施例では、３組の接続部９に対応して３つの上側プランター１９ａが用意される。
【００１８】
なお、上側プランター１９ａにおけるフランジ２１ａの一辺の長さＤ１は、図１３に示すように対向する凹部８ｃ間の距離Ｄ２や対向する下垂部８ｂ２間の距離Ｄ３よりも小さく設定されている（Ｄ１＜Ｄ２＜Ｄ３）。
【００１９】
一方、図１０Ａ及び図１０Ｂに示すように下フレーム３に配置される下側プランター１９ｂは、培土とともに枝や幹が上に伸びる立性植物である下草２２ｃと樹木２２ｄ（図１０Ｂでは、窓部７の高さ（高さ方向の一辺）より少し背の低い樹木）が植栽されて、本実施例では、脚部１１の開口１０に対応して１つの下側プランター１９ｂが用意される。
【００２０】
次にプランター１９ａ、１９ｂを枠状棚１に収納する方法を説明する。
本実施例では、下側プランター１９ｂに植栽される樹木２２ｄの背が高いため、先に下側プランター１９ｂから収納する。図１１Ａに示すように、先ず下側プランター１９ｂに植栽された樹木２２ｄを先頭にし、フレーム壁８と接続部９により仕切られた空間Ｓ１に樹木２２ｄの先端を挿入すべく（工程１→工程２）、下側プランター１９ｂを傾斜させた状態で窓部７、空間Ｓ１の順に樹木２２ｄの先端を挿入して下側プランター１９ｂを下フレーム３の上方まで持ち上げる（工程２）。
【００２１】
次に、図１１Ｂに示すように空間Ｓ１に樹木２２ｄを挿入したままで、傾斜した下側プランター１９ｂの底が下フレーム３の底壁１３と平行又は略平行になるように下側プランター１９ｂを旋回させる（工程３）。そして、下側プランター１９ｂの底を先頭に、対向するフレーム壁１２に挟まれた空間Ｓ２に向けて移動させる。最後に、下側プランター１９ｂを底から空間Ｓ２に挿入して下フレーム１２の底壁１３に載置させて、下側プランター１９ｂの収納が完了する（工程４）。この際、図１２に示すように下側プランター１９ｂの上端よりも下フレーム３の上部が高く、下側プランター１９ｂが下フレーム３の内部に没入された状態（正面視にて視認不能な状態）となる。なお、図１２では植物２２は省略してある。
【００２２】
次に上側プランター１９ａの収納に入る。収納工程の図示は省略するが、枠状棚１の上方から上側プランター１９ａの底を先頭にして、対向するフレーム壁８と一対の接続部９により仕切られた空間Ｓ１に上側プランター１９ａを底から挿入してフランジ２１ａを一対の接続部９に着座させ、上側プランター１９ａを吊り下げた状態で上フレーム３内に上側プランター１９ａを収納する。この際、図１２に示すように上側プランター１９ａの上端よりも上フレーム２の上部が高く、上側プランター１９ａが上フレーム２の内部に没入された状態（正面視にて視認不能な状態）となる。
【００２３】
ここで、一対の接続部９、上フレーム２及び上フレーム２に収納された上側プランター１９ａの間には図１３（植物２２等は省略）に示すように窓部７に連絡する隙間２４が形成されるので、図１４に示すように上側プランター１９ａに植栽された蔓植物２２ａや這性植物２２ｂ等の茎や枝などを隙間２４に通し、その茎や枝などを上から垂らすようにして隙間２４から窓部７へ植物を導き、残りの上側プランター１９ａについても同様に収納することで上側プランター１９ａの収納が完了し、図１５及び図１６に示すように枠状棚１へのプランター１９の収納が完了する。
【００２４】
枠状棚１に収納された上側プランター１９ａに植栽された植物２２の手入れなどにより、上側プランター１９ａを取り外す場合には、図１３に示すよう隙間２４から手を入れて上側プランター１９ａの両側からフランジ２１ａを握り、枠状棚１の上方に上側プランター１９ａを持ち上げることで、吊るされた上側プランター１９ａを取り外すことできる。また、下側プランター１９ｂを取り外す場合は、図１０Ａ及び図１０Ｂに示すフランジ２１ｂを持ち手として、収納とは逆の手順を踏むことで下側プランター１９ｂの取り外しができる。
【００２５】
以上のように、枠状棚１は上フレーム２と上フレーム２に収納される上側プランター１９ａの間に隙間２４を形成する。そして、隙間２４を利用して上側プランター１９ａに植栽された植物２２を窓部７に導くため、図１５に示すように上フレーム２の上側プランター１９ａに植栽された植物２２がフレーム６の外面にせり出すのを抑制し、観賞性を高めることができる。
【００２６】
図１に示すように上フレーム２は、互いに対向して左右方向に延びるフレーム壁８を有し、上フレーム２にはフレーム壁８に接続する一対の接続部９を有することで、一対の接続部９により仕切られた空間Ｓ１に上側プランター１９ａを配置できる。また、上側プランター１９ａは図９Ａ及び図９Ｂに示すように開口２０周縁から側方へ突出するフランジ２１ａを備えるため、フランジ２１を一対の接続部９に着座させて、空間Ｓ１に上側プランター１９ａを配置することで上フレーム２から上側プランター１９ａが吊り下がる。よって、上側プランター１９ａが着脱自在となる。
【００２７】
この際、図１３に示すように一対の接続部９、上側プランター１９ａ及び上フレーム２の間に隙間２４が形成される。よって、隙間２４から上側プランター１９ａに植栽した蔓植物２２ａや這性植物２２ｂ等を窓部７に導くことができる。隙間２４はフレーム壁８に沿って形成されるため、フレーム壁８における左右方向のどの位置からも植物２２を窓部７に導くことができ、植物２２の展示バリエーションが向上する。また、上側プランター１９ａに植栽された蔓植物２２ａ等も棚状枠１の上から下に向けて自然と垂れ下げることができる。更に、フレーム壁８に沿って隙間２４が形成されるため、上側プランター１９ａの収納、取り外しが容易となる。
【００２８】
図１２に示すように上フレーム２は、上側プランター１９ａを収納した状態で上側プランター１９ａの上端より上フレーム２の上端が高く、上側プランター１９ａの底よりも上フレーム２の下端が低いため、上側プランター１９ａが上フレーム２の内部に完全に没入された状態となる。そのため、上側プランター１９ａを意識させることなく、植物２２のみを観賞させることができる。
【００２９】
また、図１６に示すように、上フレーム２は、複数組の接続部９が左右方向に隣接して形成されるため、上フレーム２に複数の上側プランター１９ａを収納でき、バリエーションに富んだ展示が可能になる。
【００３０】
図５及び図６に示すように、本体部８ａの上端縁に沿い、対向するフレーム壁８に向かって鍔部８ｂが形成されるため、上側プランター１９ａに植栽された植物２２がフレーム壁８の外面にせり出すのを抑制できる。図６に示すように鍔部８ｂは本体部８ａの上端縁から水平方向に延びる延出部８ｂ１を有するため、正面及び背面から鍔部８ｂを隠すことができる。また、延出部８ｂ１から下垂する下垂部８ｂ２を有することで、下垂部８ｂ２が上側プランター１９ａに植栽された植物２２を窓部７に導くガイド部となる。また、鍔部８ｂは、枠状棚１の天板を載置する枠としても利用可能となる。
【００３１】
また、図６に示すように、本体部８ａの下端縁に沿って備わる凹部８ｃに照明部８ｃ１が備わるため、窓部７に展示された植物に光を照射するとともに、窓部７自体をライトアップできる。凹部８ｃは、水平方向に対して下端縁を軸として鋭角に傾斜するように配置されるため、図２及び図１５に示すように正面及び背面から凹部８ｃ及び照明部８ｃ１を隠すことができる。
【００３２】
図１４に示すように接続部９は、上面が平坦に形成されるため、接続部９の上面にフランジ２１を安定して着座させることができる。更に、図１に示すように接続部９（水平部材９ａ）を一辺とするように対向するフレーム壁８の間に窓枠状に各部材９ａ、９ｂが備わるため、上フレーム２の剛性を高め、上フレーム２の内部に上側プランター１９ａを安全に収納できる。
【００３３】
一方、下フレーム３は、図１に示すように窓部７側に開口１０を有する有底容器状の脚部１１であり、下側プランター１９ｂを収納する下フレーム３を枠状棚１の脚部１１も兼ねさせることで、枠状の棚でもプランターの収納スペースを確保できる。また、図６に示すように本体部１２ａの上端縁に沿って凹部１２ｂ及び照明部１２ｂ１を備えるため、上フレーム２と同様に、植物２２に光を照射、窓部７のライトアップができ、図２及び図１５に示すように正面及び背面から凹部１２ｂ及び照明部１２ｂ１を隠すことができる。
【００３４】
また、図２〜４及び図６に示すように脚部１１の下端近傍からその内面に沿って脚部１１の底壁１３の外縁まで延びる補強部材１４が配置される。よって、脚部１１（下フレーム３）の剛性を高めることができる。下側プランター１９ｂを収納する空間Ｓ２を形成することで剛性が低下し易い脚部１１（下フレーム３）にとって、補強部材１４は有効となる。更に、底壁１３の外面側から底壁１３外縁と補強部材１４を貫通するようにアジャスターボルト１５で固定されるため、補強部材１４を脚部１１に固定するとともに、枠状棚１の設置を調整できる。
【００３５】
図１及び図３に示すように上下フレーム２、３と連結する左右フレーム４、５は、それぞれ枠状棚１の外面となる外壁面１７を有するので、枠状棚１の内部にプランター１９ａ、１９ｂを隠すことができる。また、窓部７の内壁となる内壁面１８を備えるため、枠状棚１の内部構造を隠蔽できる。
【００３６】
図１５及び図１６に示すように上下フレーム２、３のフレーム壁８、１２と左右フレーム４、５のフレーム壁１６の外面は面一状に連なるため、枠状棚１の窓部７に自然の風景を写真のように切り取ったかのように植物２２を展示できる。フレーム６は正面のみならず背面も面一状に連なり構成されるため、枠状棚１を間仕切りとして利用でき、上下フレーム２、３に収納されるプランター１９ａ、１９ｂは、着脱自在に収納されるため、季節毎に窓部７に表現する風景（植物）を変化させることができる。プランター１９ａ、１９ｂが枠状棚１から着脱可能であることにより、プランター１９ａ、１９ｂに植栽された植物の育成状況に応じてプランター１９ａ、１９ｂ自体を取り替えることもできる。
【００３７】
上記実施例では隙間２４がフレーム壁８に沿って形成されているが、左右方向に隣接して形成される複数組の接続部９の間に隙間２４を形成してもよい。隙間２４をフレーム壁８に沿って形成するとともに、一対の接続部９の間にも形成することで展示のバリエーションが増加する。
【００３８】
以上、プランター用の枠状棚１を説明した。次に、図１７〜２４に示すように左右フレーム４、５の変形例を説明する。左右フレーム４、５以外の構成は前述の枠状棚１の構成と同様であり、主たる違いは左右フレーム４、５にもプランターを収納している点である。図１７〜１９に示すように左右フレーム４、５において、対向するフレーム壁１６を接続する一対の壁面接続部９´を有し、図１７では左フレーム４及び右フレーム５にそれぞれ複数組（３組）の壁面接続部９´がフレーム壁１６の上下方向に隣接して形成される。また、壁面接続部９´に対応して内壁面１８には、その上下方向に沿って複数（３つ）の開口１８ｂ（連絡開口）が形成される。
【００３９】
図１７及び図１８に示すように対向するフレーム壁１６を接続する壁面接続部９´は、断面が角形又はＣ形で上面が平坦に形成される第１水平部材９´ａであり、その端面がフレーム壁１６に接続する。一対の第１水平部材９´ａは同一平面上に配置され、その一対の水平部材９´ａと連なるようにフレーム壁１６の内面に沿って第２水平部材９´ｂが設けられ、対向するフレーム壁１６の間に窓枠状に各部材９´ａ、９´ｂが配置される。
【００４０】
また、一対の壁面接続部９´に対応して内壁面１８に形成される開口１８ｂは、図１７に示すように対応する一対の壁面接続部９´よりも上方に位置する。
【００４１】
左右フレーム４、５に収容される左右プランター１９ｃ（図１９及び図２０）は、上フレーム２に収容されるプランター１９と同様に上部に開口２０を有する有底容器状をなし、その開口２０周縁から側方に突出するフランジ２１ａを有する。左右プランター１９ｃの内部には、培土とともに例えば蔓植物２２ａや這性植物２２ｂ（図示省略）などが植栽される。本実施例では、図１７及び図２０に示すように６組の壁面接続部９´（左フレーム４の３組＋右フレーム５の３組）に対応して６つの左右プランター１９ｃが用意される。
【００４２】
なお、図２１に示すように一対の壁面接続部９´の距離Ｄ４より左右プランター１９ｃにおけるフランジ２１ａの一辺の長さＤ５は大きく設定されている（Ｄ４＜Ｄ５）。また、図２２Ａに示すように左右プランター１９ｃの幅ｗ１、高さｈ１は、内壁面１８における開口１８ｂの幅Ｗ１、高さＨ１より小さく設定されている（ｗ１＜Ｗ１、ｈ１＜Ｈ１）。
【００４３】
次にプランター１９ｃを枠状棚１に収納する方法を説明する。
図２２Ａに示すように、先ず左右プランター１９ｃの側面を先頭にし、内壁面１８に形成された開口１８ｂに左右プランター１９ｃを挿入して、左右プランター１９ｃを左右フレーム４、５の内部に移動させる。すると、図２２Ａに示すように左右プランター１９ｃは一対の壁面接続部９´ａの上方に位置する。そして、一対の壁面接続部９ａ´の上方から第１及び第２水平部材９´ａ、９´ｂにより窓枠状に仕切られた空間Ｓ３（図１７）に左右プランター１９ｃを底から挿入してフランジ２１ａを一対の壁面接続部９´に着座させ、左右プランター１９ｃを吊り下げた状態で左右フレーム４、５内に左右プランター１９ｃを収納する。この際、図２２Ｂに示すように左右プランター１９ｃの上端よりも対応する開口１８ｂの下部（下辺）が高く、左右プランター１９ｂの全体が内壁面１８で覆われるため、左右プランター１９ｃが左右フレーム４、５の内部に没入された状態（側面視にて視認不能な状態）となる。
【００４４】
そして、一対の壁面接続部９´に対応して内壁面１８に窓部７へ連絡する開口１８ｂが形成されるので、図２２Ｂに示すように左右プランター１９ｃに植栽された蔓植物２２ａや這性植物２２ｂ等の茎や枝などを開口１８ｂ（連絡開口）に通して窓部７へ植物２２を導き、残りの左右プランター１９ｃについても同様に収納することで、図２３及び図２４に示すように枠状棚１への左右プランター１９ｃの収納が完了する。なお、内壁面１８を取り外して直接、左右プランター１９ｃを収納することも可能である。
【００４５】
左右プランター１９ａを取り外す場合には、収納とは逆の手順を踏むことで左右プランター１９ｃの取り外しができる。
【００４６】
図１７及び図２４に示すように枠状棚１は、左右フレーム４、５に収納される左右プランター１９ｃに対応して内壁面１８に、窓部７に連絡する開口１８ｂ（連絡開口）を形成する。よって、左右フレーム４、５に収納される左右プランター１９ｃに植栽した植物２２は、開口１８ｂから窓部７に導かれて、窓部７の上下左右いずれの辺からも植物２２を導くことが可能となり、窓部７の中に自然の１コマを再現することが可能となる。
【００４７】
図２２Ａに示すように左右プランター１９ｃの幅ｗ１及び高さｈ１は、内壁面１８における開口１８ｂの幅Ｗ１及び高さＨ１より小さく設定されているため（ｗ１＜Ｗ１、ｈ１＜Ｈ１）、開口１８ｂに左右プランター１９ｃを挿入することができる。そのため、左右プランター１９ｃの収納及び取り外しが容易となる。
【００４８】
図１７、図１８及び図２１に示すように左右フレーム４、５は、互いに対向して上下方向に延びるフレーム壁１６と、対向するフレーム壁１６を接続する一対の壁面接続部９´を有する。よって、対向するフレーム壁１６及び一対の壁面接続部９´により仕切られた空間Ｓ３に左右プランター１９ｃを配置できる。また、左右プランター１９ｃは開口２０周縁から側方へ突出するフランジ２１ａを備えるため、フランジ２１ａを一対の壁面接続部９´に着座させ、空間Ｓ３に左右プランター１９ｃを配置することで左右フレーム４、５から左右プランター１９ｃが吊り下がる。よって、左右プランター１９ｃが着脱自在となる。
【００４９】
図２２Ｂに示すように左右フレーム４、５は、左右プランター１９ｃを収納した状態で左右プランター１９ｃの上端よりも対応する開口１８ｂの下部が高く、左右プランター１９ｃの全体が内壁面１８で覆われるため、左右プランター１９ｃが左右フレーム４、５の内部に没入された状態となる。そのため、左右プランター１９ａを余り意識させることなく、植物２２を観賞させることが可能となる。
【００５０】
また、図１７に示すように、左右フレーム４、５は、複数組の壁面接続部９´が上下方向に隣接して形成されるため、左右フレーム４、５に複数の左右プランター１９ｃを収納でき、バリエーションに富んだ展示が可能になる。
【００５１】
図１７に示すように壁面接続部９´は、上面が平坦に形成されるため、壁面接続部９の上面にフランジ２１を安定して着座させることができる。更に、窓枠状に各部材９´ａ、９´ｂが備わるため、左右フレーム４、５の剛性を高め、左右フレーム４、５の内部に左右プランター１９ｃを安全に収納できる。
【００５２】
また、図１７及び図１８に示すように、内壁面１８の上下方向に沿って備わる凹部１８ａに照明部を収容すれば、窓部７に展示された植物２２に光を照射するとともに、窓部７自体をライトアップできる。凹部１８ａは、内壁面１８に形成されるため、図２０及び図２３に示すように正面及び背面から凹部１８ａ及び照明部を隠すことができる。
【００５３】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００５４】
１  枠状棚                  ２  上フレーム
３  下フレーム              ４  左フレーム
５  右フレーム              ６  フレーム
７  窓部                    ８  フレーム壁
１１  脚部                  １６  フレーム壁（上下フレーム壁）
１８  内壁面                １８ｂ  開口（連絡開口）
１９  プランター            １９ａ  上側プランター
１９ｂ  下側プランター      １９ｃ  左右プランター
２０  開口                  ２１  フランジ
２２  植物                  ２４  隙間
【図１】
2014171450.tif 000003
【図２】
2014171450.tif 000004
【図３】
2014171450.tif 000005
【図４】
2014171450.tif 000006
【図５】
2014171450.tif 000007
【図６】
2014171450.tif 000008
【図７】
2014171450.tif 000009
【図８】
2014171450.tif 000010
【図９Ａ】
2014171450.tif 000011
【図９Ｂ】
2014171450.tif 000012
【図１０Ａ】
2014171450.tif 000013
【図１０Ｂ】
2014171450.tif 000014
【図１１Ａ】
2014171450.tif 000015
【図１１Ｂ】
2014171450.tif 000016
【図１２】
2014171450.tif 000017
【図１３】
2014171450.tif 000018
【図１４】
2014171450.tif 000019
【図１５】
2014171450.tif 000020
【図１６】
2014171450.tif 000021
【図１７】
2014171450.tif 000022
【図１８】
2014171450.tif 000023
【図１９】
2014171450.tif 000024
【図２０】
2014171450.tif 000025
【図２１】
2014171450.tif 000026
【図２２Ａ】
2014171450.tif 000027
【図２２Ｂ】
2014171450.tif 000028
【図２３】
2014171450.tif 000029
【図２４】
2014171450.tif 000030